(57)【要約】【課題】階段の手すりを取り付ける角度を自在に変更可能な手すりを提供し、その手すりを用いて階段を昇る動作を確実に補助すること。【解決手段】階段に設ける手すりを、複数の受け部を含んだ平板状の支持部材と、該支持部材に取り付けられる複数の把持部材とからなる手すりであって、前記把持部材が、棒状の握り部と、該握り部を前記支持部材に対して平行となるように前記受け部に取り付けるための固定部とを有しており、前記受け部および固定部が、前記支持部材に対して平行な面内において、前記握り部が水平方向となす角度を複数の中から選択して固定可能な構造とした。【選択図】    図１
2004270303.tif 000002
【特許請求の範囲】
【請求項１】
複数の受け部を含んだ平板状の支持部材と、該支持部材に取り付けられる複数の把持部材とを備える手すりであって、前記把持部材が、棒状の握り部と、該握り部を前記支持部材に対して平行となるように前記受け部に取り付けるための固定部とを有しており、前記受け部および固定部が、前記支持部材に対して平行な面内において、前記握り部が水平方向となす角度を複数の中から選択して固定可能な取付構造を有していることを特徴とする階段用手すり。
【請求項２】
前記把持部材の各々が唯一の固定部を有しており、前記取付構造が、放射状に延びる互いに係合可能な複数の凹部および凸部であることを特徴とする請求項１に記載の階段用手すり。
【請求項３】
前記固定部が前記握り部の中央付近に設けられていることを特徴とする請求項１または２に記載の階段用手すり。
【請求項４】
請求項１から３のいずれかに記載の手すりを設置するための手すり設置方法であって、階段を昇る人間が、頭上に手を伸ばした際に前記把持部材を握ることができる高さに前記支持部材を設置することを特徴とする階段用手すり設置方法。
【請求項５】
前記握り部を引いて体を持ち上げる方向に対して、該握り部がほぼ垂直となるように、前記握り部の階段の低い側に位置する一端を高く持ち上げるように、水平方向から所定の角度傾けて前記把持部材を取り付けることを特徴とする請求項４に記載の階段用手すり設置方法。
【発明の詳細な説明】
【０００１】
【発明の属する技術分野】
本発明は、階段用手すりおよび該手すりの設置方法に関し、この手すりを用いて階段を昇る動作を確実に補助することを目的とするものである。
【０００２】
【従来の技術】
従来、一般に用いられている階段の手すり構造として、図１２に示すような手すりが知られている。この種の手すりは、棒状に形成された手すり３１が、階段３２の傾斜方向と平行に接地され、階段を昇る際に前記手すりを掴んで体を支え、体を押し上げる力または引き寄せる力でもって階段を昇る動作に要する負荷を軽減しようとするものである。
【０００３】
しかしながら、このような手すり構造においては、その握り部が階段の傾斜方向と平行であるために、体を押し上げる力（または引き寄せる力）を握り部に加えた際に比較的滑りやすく、効率よく負荷を軽減できないという欠点がある。このような手すりを備えた階段を例えば足腰が弱くなっている老人等が昇る場合、手すりを握る手の力が入りにくいため、階段を昇る動作に大きな支障が生じる。
【０００４】
このような問題点を解消するような階段の手すり構造として、図１２に示す通常の手すりに加えて、例えば特許文献１に開示されているように、握り部を鉛直方向に設けた複数の把持部材３３を取り付けることが知られている（図１３（Ａ）参照）。
【０００５】
【特許文献１】
特開平７−２６９０５６号公報
【０００６】
【発明が解決しようとする課題】
しかしながら、このような階段の手すり構造は、以下のような欠点を有している。すなわち、前述のような足腰が弱っている老人にとって、手すりを用いて体を引き上げる際に適切な手すりの握り部を取り付ける角度は、階段の傾斜角や、踏面の長さ等によって変化する。そのため、図１３（Ｂ）に示すような取り付け穴とボルトによって、把持部材を取り付けるような固定構造では、階段側面に一列に設けられた把持部材を、それぞれ同じような角度に傾けて固定することが困難である。また、通常の手すりが設けられている位置に、前記把持部材を取り付けた場合、前述のような足腰の弱った老人は膝を上げるための力が不足しているため、階段を昇る動作に支障が生じる。これは、従来の手すりが固定されている位置が、階段を昇る際に主として前方向に体を引き進めることを目的としたものであり、段差方向（すなわち鉛直上方向）へ体を持ち上げることを目的としたものではないためである。
【０００７】
【課題を解決するための手段】
本発明は、このような従来の手すりが有している課題を解決するためになされたもので、請求項１においては、複数の受け部を含んだ平板状の支持部材と、該支持部材に取り付けられる複数の把持部材とを備える手すりであって、前記把持部材が、棒状の握り部と、該握り部を前記支持部材に対して平行となるように前記受け部に取り付けるための固定部とを有しており、前記受け部および固定部が、前記支持部材に対して平行な面内において、前記握り部が水平方向となす角度を複数の中から選択して固定可能な取付構造を有していることを特徴とする階段用手すりを提案している。
【０００８】
また、請求項２においては、前記把持部材の各々が唯一の固定部を有しており、前記取付構造が、放射状に延びる互いに係合可能な複数の凹部および凸部であることを特徴とする階段用手すりを提案している。これによって前記把持部材の傾きをより簡単に選択して支持部材に取り付けることができる。
【０００９】
また、前記固定部が握り部の中央付近に設けられていてもよい（請求項３）。これによって、固定部の前後の握り部をそれぞれ使用することができるため、手すりを使用する人の身長によって握り部を使い分けることが可能になるという効果がある。
【００１０】
さらに、請求項４においては、請求項１から３のいずれかに記載の手すりを設置するための手すり設置方法であって、階段を昇る人間が、頭上に手を伸ばした際に前記把持部材を握ることができる高さに前記手すりを設置することを特徴とする手すり設置方法を提案している。これによって、階段を昇る際に前記把持部材を握って体を鉛直方向に引き上げることにより、膝を上げる負担が軽減され、足腰の弱った老人等でも楽に階段を昇ることができる。
【００１１】
その際に、前記把持部材の握り部を握って階段を昇る人間が前記握り部を引いて体を持ち上げる方向に対して、該握り部がほぼ垂直となるように、前記握り部の階段の低い側に位置する一端を高く持ち上げることで、水平方向から所定の角度傾けて前記把持部材を取り付けるようにしてもよい（請求項５）。これによって、体を持ち上げる力が効率よく作用し、より確実に階段を昇る動作を補助することができる。
【００１２】
【発明の実施の形態】
以下、本発明の好ましい実施形態について図面を参照しつつ説明する。図１は、本発明に係る階段用手すり１の構造の概略を示す斜視図であって、支持部材としての平板状の支持板２に、複数の把持部材３を取り付けて固定するための構造を示している。支持板２は、それぞれ一定の間隔を離間して複数設けられた窪み状の受け部５を有している。一方、前記把持部材３は、人が握りやすいように曲線上の輪郭を有する棒状の握り部４と、この握り部４の一端から垂直に延びる固定部６とを備えている。固定部６が受け部５に挿入され、嵌合されることで前記把持部材３が支持板２に固定的に取り付けられる。また、取付穴７はボルト８等を用いて支持板２を階段の側壁等に固定するために支持板端部に設けられたネジ穴である。
【００１３】
図１において、固定部６は断面が正多角形（本実施例では正六角形）をなしており、受け部５もこの断面形状に適合するように、同様の断面形状を為しているため、固定部６を受け部５に挿入する際に、把持部材３を所望の角度に取り付けるように、角度を選択することが可能となる。なお、前記断面は正六角形に限定されるものではなく、多段階に角度を選択できるようなものであれば、どのような角柱形状であってもよいことは言うまでもない。なお、把持部材３を支持板２に取り付けた後、ビス穴９ａを貫通するビス１０によって把持部材３が抜け落ちないように固定するようにしている。
【００１４】
さらに、受け部５は一定の間隔を離間して支持板２上に直線的に設けられているため、前記把持部材３を複数取り付ける際に、それぞれの把持部材について取り付ける受け部５を適宜選択することにより、階段の踏面の大きさや、階段の傾斜角、階段を使用する人の体型等に応じた位置に把持部材３を取り付けることができる。
【００１５】
図２は、前述のような把持部材３を支持板２にビス１０を用いて固定した様子を表す縦正面図である。図２に示すように、前記固定部６の長さＬ１は、把持部材３が支持板２に取り付けられた際に、握り部４と支持板２との間に適度な隙間を設けるため、受け部５の深さＬ２より長くなるように設計されている。
【００１６】
また、図１および２に記載の実施例では、受け部５を窪み状、固定部６を突条としているが、本発明はこれに限定したものではなく、受け部５を突条、固定部６を窪み状としてもよい。
【００１７】
図３（Ａ）は、本発明に係る把持部材の他の実施形態を表す斜視図である。この実施形態においては、握り部４に一体的に固定された固定部６’は円柱状の突条であり、受け部５’と接する面６ａに、面６ａの中心から放射状に延びる複数の凹部及び凸部からなる係合部１１を有している。該係合部１１をなす凹部及び凸部の形状（深さ方向の高さ、幅、および長さなど）は各々ほぼ同一である。また、ビス１０を通すためのビス穴９ｂが面６ａの中心に設けられている。
【００１８】
図３（Ｂ）は、図３（Ａ）に記載されている実施形態における握り部３’を固定するための支持板の受け部の実施形態を示す斜視図である。この実施形態において、支持板２’の受け部５’は、前記固定部６’が隙間無く挿入可能な円柱状の窪みであるとともに、固定部６’と接する面（底部）５ａにおいて、固定部６’が有する係合部１１の各凹凸部が係合するような同様形状の凹凸部からなる係合部１２を設けている。本実施形態においては、把持部材３’は前記溝部の各凹部（または凸部）の幅ごとに角度を調整しつつ支持板２’に固定することができるため、前記係合部の凹凸部を細かく設けることで、把持部材３’を取り付ける角度をより詳細に選択することが可能となる。図４に、この実施形態において把持部材３’の固定部６’が受け部５’に挿入される様子を示す。
【００１９】
このようにして支持板２’に取り付けられた把持部材３’からなる手すりを、階段側壁に取り付けた様子を図５に示す。この実施形態では、階段の傾斜とほぼ同等に、かつ通常の人間が頭上に手を延ばして握り部を掴むことができる程度の高さとなるように支持板２’を側壁に設置している。図５は、踏面１３▲１▼から踏面１３▲２▼へと階段を昇る人間ｈが、支持板２に固定された把持部材３の握り部４を握りながら階段を昇る様子を示している。
【００２０】
一般に、通常の手すりは階段の踏面から９０ｃｍ程度の高さに設定されているが、本実施形態においては、階段の踏面から１６０〜１８０ｃｍ程度の高さに把持部材の握り部が位置するように支持板２を設置するようにしている。この高さは、使用する人の身長等の条件に応じて、適宜変更して設置すべきことは言うまでもない。
【００２１】
また、把持部材の傾きは、使用する人の身長や階段の傾斜等の条件に応じてどのように変化させてもよいが、以下に把持部材の取付角度の適切な決定方法の一例を示す。
【００２２】
図５に示す踏面１３▲１▼の位置をＰ，把持部材３の位置をＱとすると、階段を昇るために必要な体を引き上げる力の向きは、Ｐ→Ｑの向きとなる。よって、握り部４を、Ｐ→Ｑの方向に対して垂直となるように、傾斜角θ＝約１０〜３５°程度となるように傾けて支持板を設置すると、より効率よく体を引き上げることができ、階段を昇る動作を補助することができる。なお、前記傾斜角度θは、把持部材の一端のうち、階段の低い方向に位置する一端を高く持ち上げるように傾けた際に、前記握り部が水平方向となす角度である。
【００２３】
また、前記把持部材３’の形状は前記実施例に限定されるものではなく、例えば図６に示すような形状であってもよい。すなわち、握り部４’の中央近辺に固定部６を一体的かつ握り部４’に対して垂直となるように設けることで、支持板２に取り付けた際に固定部より前方の握り部４ａ、後方の握り部４ｂをそれぞれ使用できるようにしてもよい。このような使用形態を図７に示す。この場合、前方の握り部４ａは背の低い人（ｈ’）が階段を昇る際に使用し、後方の握り部４ｂは背の高い人が階段を昇る際に使用するという使い方が可能となる。
【００２４】
また、前述の係合する凹部および突部は、係合部１１または１２のような形態以外に、図８（Ａ）および（Ｂ）に示すような形態であってもよい。すなわち、受け部５’または固定部６’のいずれか一方（例えば固定部６’）の面（６ａ）には、１つの凸部からなる係合部１１’を備え、他方（例えば受け部５’）の面（５ａ）には面の中心から等しい距離に複数設けられた凹部からなる係合部１２’を備えているような形態でもよい。
【００２５】
さらに、本発明における手すりの構造の実施形態は、これに限定されたものではなく、図９に示すような実施形態も考えられる。図９において、支持板２”内の受け部５”および把持部材３”の固定部６”は、それぞれ断面が正円であるような円柱形状を有しており、支持板２”に多数設けられた受け部５”を選択して固定部６”を挿入することで、把持部材３”の水平方向に対する取り付け角度を選択することができるものである。
【００２６】
次に、階段の側面に壁等が存在しない場合（例えば歩道橋など）において、本発明にかかる階段の手すり構造を用いるための実施形態を、図１０を用いて説明する。図１０は、歩道橋１４と地面１５とを結ぶ階段１６に設けられた階段手すりであって、階段の最上段および最下段に設けられた支柱１７、１８に支持板２を固定している。支持板２の固定する高さは、階段を昇る際に階段を昇る人間が、頭上に手を伸ばした際に前記把持部材３０の握り部を握ることができる程度とする。このとき、前記握り部は、前述の実施形態のように支持板２の側方に取り付けられてもよいが、図１１に示すように、握り部４と固定部６とを接続部２０でもって接続するように構成することで、握り部４を支持板２’の下側に位置するように取り付けることもできる、この場合、固定部６の長さを支持板２の受け部５の深さとほぼ同じ長さとしても、握り部を握るスペースが確保可能となる。
【００２７】
【発明の効果】
以上の説明で明らかなように、請求項１または２に記載の本発明にによれば、階段に用いる手すりの握り部の傾きを簡単に調整して、把持部材を取り付けることができるために、複数の握り部の傾きを揃えて固定することができる。ゆえに、これらの握り部を階段を昇る人間が頭上に手を伸ばした際に把持部材を握ることができる高さに設置することが容易となり、足腰の弱った老人等が階段を昇る動作を効率よく補助することができるという効果がある。
【図面の簡単な説明】
【図１】本発明の第１実施例において、把持部材を支持板に対して取り付ける様子を示す斜視図である。
【図２】第１実施例において、把持部材が支持板に対して取り付けられている様子を示す縦正面図である。
【図３】把持部材の取付部および支持板の受け部の形状に関する第２の実施例を表す斜視図である。
【図４】図３に示す実施形態について、把持部材が支持板に取り付けられる様子を示す縦正面図である。
【図５】本発明に関する手すりの使用形態の一例を示す図である。
【図６】把持部材の固部および支持板の受け部の形状に関する第３の実施例を表す斜視図である。
【図７】図６に示す把持部材を本発明に関する手すりに用いた場合の使用形態の一例を示す図である。
【図８】把持部材の固部および支持板の受け部の形状に関する第４の実施例を表す斜視図である。
【図９】把持部材の固部および支持板の受け部の形状に関する第５の実施例を表す斜視図である。
【図１０】本発明に関する手すりの他の使用形態を示す図である。
【図１１】図１０に示す使用形態における把持部材の他の実施形態を示す斜視図である。
【図１２】従来の手すりを表す図である。
【図１３】従来の他の手すりと、その構造を表す図である。
【符号の説明】
１  手すり
２  支持板
３  把持部材
４  握り部
５  受け部
６  固定部
１０  ビス
１１，１２  係合部
【図１】
2004270303.tif 000003
【図２】
2004270303.tif 000004
【図３】
2004270303.tif 000005
【図４】
2004270303.tif 000006
【図５】
2004270303.tif 000007
【図６】
2004270303.tif 000008
【図７】
2004270303.tif 000009
【図８】
2004270303.tif 000010
【図９】
2004270303.tif 000011
【図１０】
2004270303.tif 000012
【図１１】
2004270303.tif 000013
【図１２】
2004270303.tif 000014
【図１３】
2004270303.tif 000015